(57)【要約】【課題】カメラを容易に移動可能なカメラ取付装置を提供する。【解決手段】カメラ取付装置１は、歩道橋９１の柵９２等に固定される固定部２と、回転支柱４１を有する回転部４と、回転支柱４１の中心に設けられるとともに、固定部２に対して回転支柱４１を回転可能に支持する回転軸３１を有する回転軸部３と、回転支柱４１の一端部に設けられたカメラ６とを備えている。【選択図】図１
2010068096.tif 000002
【特許請求の範囲】
【請求項１】
固定部と、
回転支柱と、
前記回転支柱の長さ方向の中央部に設けられるとともに、前記固定部に対して前記回転支柱を回転可能に支持する回転軸と、
前記回転支柱の一端部に設けられたカメラとを備えていることを特徴とするカメラ取付装置。
【請求項２】
前記固定部は、回転支柱をロックするロック部を有し、
前記回転支柱は、前記ロック部によってロックされる監視用被ロック部と点検用被ロック部とを有し、
前記回転軸から前記監視用被ロック部までの距離と、前記回転軸から前記点検用被ロック部までの距離とが等しいことを特徴とする請求項１に記載のカメラ取付装置。
【請求項３】
前記回転支柱の一端部に取り付けられた回転部材と、
前記回転部材によって前記回転支柱が延びる方向の周りに回転可能に前記回転支柱に支持され、前記カメラが取り付けられる取付板とを備えていることを特徴とする請求項１または請求項２に記載のカメラ取付装置。
【請求項４】
前記回転部材の周りに点対称な位置に配置され、前記取付板を前記回転支柱に固定する複数の固定部材を備えていることを特徴とする請求項３に記載のカメラ取付装置。
【請求項５】
前記取付板は、前記回転軸の方向に２個の第１取付板及び前記カメラが取り付けられる第２取付板に分割され、
前記第１取付板は、前記回転支柱の下端部に取り付けられ、
前記第２取付板は、前記回転軸と平行な方向の周りに回転可能に前記第１取付板に取り付けられていることを特徴とする請求項４に記載のカメラ取付装置。
【請求項６】
前記回転支柱をガイドするガイド部を備え、
前記ガイド部は、
前記回転支柱に固定されたガイド軸と、
前記ガイド軸をガイドする円弧状のガイド溝が形成されるとともに、前記固定部に固定されるガイド部材とを有することを特徴とする請求項１〜請求項５のいずれか１項に記載のカメラ取付装置。
【請求項７】
前記ガイド溝の一端部は、前記回転支柱の監視位置に対応し、
前記ガイド溝の他端部は、前記回転支柱の点検位置に対応することを特徴とする請求項６に記載のカメラ取付装置。
【請求項８】
前記回転支柱の他端部に設けられたバランサーを備えていることを特徴とする請求項１〜請求項７のいずれか１項に記載のカメラ取付装置。
【請求項９】
前記回転軸の中心から前記カメラまでの距離をＲ１
前記カメラの重量をＷＣ
前記回転軸の中心から前記バランサーまでの距離をＲ２
前記バランサーの重量をＷＢ
とすると、
Ｒ１×ＷＣ＝Ｒ２×ＷＢ
を満たす位置に前記回転軸が設置されていることを特徴とする請求項８に記載のカメラ取付装置。
【発明の詳細な説明】
【技術分野】
【０００１】
本発明は、壁面や歩道橋等に取り付けられるカメラ取付装置に関する。
【背景技術】
【０００２】
現在、ＣＣＴＶ（Closed-circuit Television：閉回路テレビ）等の周辺を監視するためのカメラを備えたカメラ取付装置が知られている。このようなカメラ取付装置は、監視するためにビルの壁面や歩道橋の柵等の高所に取り付けられている。また、当然にこれらのカメラを点検する必要がある。しかしながら、高所でのカメラの点検は、吊足場や高所作業車等を必要とし、困難を伴うことや高額な点検費用が必要となることも多い。このため、点検時の困難を減らし、点検費用を低減するためのカメラ取付装置が提案されている。
【０００３】
特許文献１には、支柱と、支柱から垂直に延びるアーム部材と、アーム部材を支柱に対して回動可能に支持するピンと、支柱及びアーム部材と交差するように取り付けられた支持ロッドとを備えたカメラ取り付け用の架台が開示されている。アーム部材の一端部は、ピンによって回動可能に支柱の上端に取り付けられている。アーム部材の他端部には、カメラが取り付けられている。支持ロッドの上端は、アーム部材に固定されている。支持ロッドの下端は、上下方向に移動可能に支柱に取り付けられている。
【０００４】
特許文献１の架台では、カメラの点検をする際に、支柱とアーム部材とが直交する監視位置にアーム部材が位置する状態から支持ロッドの下端部を下方へ移動させることによって、アーム部材がピンを中心に回動される。これにより、アーム部材の他端部に取り付けられたカメラが、下方の点検位置へと移動する。特許文献１の架台では、このようにカメラを下方へと移動させることによって、ユーザーはカメラを容易に点検することができる。
【特許文献１】特開２０００−９２９５号公報
【発明の開示】
【発明が解決しようとする課題】
【０００５】
しかしながら、特許文献１のカメラ取り付け用の架台では、アーム部材の一端を中心にして、アーム部材の他端に取り付けられたカメラを下方へ移動させているので、カメラによるユーザーへの負荷が大きく、ユーザーは容易にカメラを移動させることができないといった課題がある。このため、カメラを移動させる際に、支持ロッドによる支持が必要となるので、カメラを支持するための構造が複雑になる。
【０００６】
本発明は、上述した課題を解決するために創案されたものであり、カメラを容易に移動可能なカメラ取付装置を提供することを目的としている。
【課題を解決するための手段】
【０００７】
本発明によるカメラ取付装置の特徴は、固定部と、回転支柱と、回転支柱の長さ方向の中央部に設けられるとともに、固定部に対して回転支柱を回転可能に支持する回転軸と、回転支柱の一端部に設けられたカメラとを備えていることを特徴とするカメラ取付装置である。
【０００８】
尚、ここでいう回転支柱の長さ方向の中央部とは、回転支柱の端部よりも回転支柱の中心に近い領域のことである。
【０００９】
また、本発明の他の特徴は、固定部は、回転支柱をロックするロック部を有し、回転支柱は、ロック部によってロックされる監視用被ロック部と点検用被ロック部とを有し、回転軸から監視用被ロック部までの距離と、回転軸から点検用被ロック部までの距離とが等しいことである。
【００１０】
また、本発明の他の特徴は、回転支柱の一端部に取り付けられた回転部材と、回転部材によって回転支柱が延びる方向の周りに回転可能に回転支柱に支持され、カメラが取り付けられる取付板とを備えていることである。
【００１１】
また、本発明の他の特徴は、回転部材の周りに点対称な位置に配置され、取付板を回転支柱に固定する複数の固定部材を備えていることである。
【００１２】
また、本発明の他の特徴は、取付板は、回転軸の方向に２個の第１取付板及びカメラが取り付けられる第２取付板に分割され、第１取付板は、回転支柱の下端部に取り付けられ、第２取付板は、回転軸と平行な方向の周りに回転可能に第１取付板に取り付けられていることである。
【００１３】
また、本発明の他の特徴は、回転支柱をガイドするガイド部を備え、ガイド部は、回転支柱に固定されたガイド軸と、ガイド軸をガイドする円弧状のガイド溝が形成されるとともに、固定部に固定されるガイド部材とを有することである。
【００１４】
また、本発明の他の特徴は、ガイド溝の一端部は、回転支柱の監視位置に対応し、ガイド溝の他端部は、回転支柱の点検位置に対応することである。
【００１５】
また、本発明の他の特徴は、回転支柱の他端部に設けられたバランサーを備えていることである。
【００１６】
また、本発明の他の特徴は、
回転軸の中心からカメラまでの距離をＲ１
カメラの重量をＷＣ
回転軸の中心からバランサーまでの距離をＲ２
バランサーの重量をＷＢ
とすると、
Ｒ１×ＷＣ＝Ｒ２×ＷＢ
を満たす位置に回転軸が設置されていることである。
【発明の効果】
【００１７】
本発明によれば、回転支柱を回転可能に支持する回転軸を回転支柱の中央部に設けることによって、回転支柱の一端部に設けられたカメラによるユーザーへの負荷を低減することができる。この結果、カメラを容易に移動させることができる。
【発明を実施するための最良の形態】
【００１８】
（第１実施形態）
以下、図面を参照して、本発明を歩道橋の柵に取り付けられるカメラ取付装置に適用した第１実施形態について説明する。
【００１９】
図１は、第１実施形態によるカメラ取付装置の監視位置での側面図である。図２は、第１実施形態によるカメラ取付装置の監視位置での正面図である。図３は、図１におけるＩＩＩ−ＩＩＩ線に沿った断面図である。図４は、図１におけるＩＶ−ＩＶ線に沿った断面図である。図５は、図１における矢印Ｖから見た矢視図である。
【００２０】
図６は、回転支柱が点検位置に配置されたカメラ取付装置の側面図である。図７は、回転支柱が点検位置に配置されたカメラ取付装置の正面図である。図８は、取付板が点検位置に配置されたカメラ取付装置の側面図である。図９は、取付板が点検位置に配置されたカメラ取付装置の正面図である。
【００２１】
以下の説明において、特に断らない限り、監視位置における図１及び図２の矢印で示す上下左右前後を、上下左右前後方向とする。また、監視とは、カメラによって歩道橋周辺を監視している状態を示す。点検とは、ユーザーがカメラを点検する状態を示す。
【００２２】
第１実施形態によるカメラ取付装置１は、歩道橋９１の柵９２に取り付けられるものである。図１及び図２に示すように、カメラ取付装置１は、固定部２と、回転軸部３と、回転部４と、ガイド部５と、カメラ６とを備えている。
【００２３】
固定部２は、歩道橋９１の柵９２に固定される。固定部２は、固定支柱１１と、上部取付部材１２と、下部取付部材１３と、一対の上部ロック部材１４、１４と、一対の下部ロック部材１５、１５とを備えている。
【００２４】
固定支柱１１は、上下方向に延びる四角柱形状に形成されている。固定支柱１１の側面の後部には、二対の柵用ブランチ２１、２２が形成されている。柵用ブランチ２１、２２には、それぞれ固定穴（図示略）が形成されている。固定支柱１１の側面の前部には、後述する回転部４の回転支柱４１をロックするための二対のロックブランチ２３、２４が形成されている。上部ロックブランチ２３が、請求項のロック部に相当する。各ロックブランチ２３、２４には、固定穴（図示略）が形成されている。固定支柱１１の下部の前面には、回転軸３１が挿通される回転軸穴１６が形成されている。
【００２５】
図３に示すように、上部取付部材１２は、Ｕ字ボルト２５と、一対のナット２６、２６とを備えている。Ｕ字ボルト２５は、平面視にて、前方が開口されたＵ字形状に形成されている。Ｕ字ボルト２５の両端部には、ネジ溝が形成されている。Ｕ字ボルト２５は、歩道橋９１の１本の柵９２を囲むように設置される。Ｕ字ボルト２５の両前端部は、上部柵用ブランチ２１の固定穴に通される。Ｕ字ボルト２５の両端部には、ナット２６、２６が螺合される。これにより、Ｕ字ボルト２５は、上部柵用ブランチ２１を介して固定支柱１１に取り付けられる。
【００２６】
下部取付部材１３は、Ｕ字ボルト２７と、一対のナット２８とを備えている。下部取付部材１３は、下部柵用ブランチ２２を介して固定支柱１１に取り付けられる。
【００２７】
この結果、固定支柱１１は、取付部材１２、１３によって、歩道橋９１の柵９２に固定される。
【００２８】
図１及び図２に示すように、上部ロック部材１４は、回転部４を監視位置と点検位置とにロックするためのものである。図４に示すように、上部ロック部材１４は、上部ロックブランチ２３に取り付けられる。一対の上部ロック部材１４、１４は、固定支柱１１を挟み左右に１個ずつ取り付けられる。上部ロック部材１４の前端部は、ネジ溝が形成されている。
【００２９】
下部ロック部材１５は、回転部４を監視位置にロックするためのものである。下部ロック部材１５は、下部ロックブランチ２４に取り付けられる。一対の下部ロック部材１５、１５は、固定支柱１１を挟み左右に１個ずつ取り付けられる。下部ロック部材１５の前端部は、ネジ溝が形成されている。
【００３０】
回転軸部３は、回転軸３１と、ナット３２とを備えている。回転軸３１は、回転支柱４１を固定支柱１１に対して回転可能に支持する。回転軸３１の前半部には、ネジ溝３１ａが形成されている。回転軸３１は、前後方向に延びるように形成されている。回転軸３１は、固定支柱１１の回転軸穴１６と、回転支柱４１の軸穴４１ａと、後述するガイド板６１の軸穴（図示略）とに挿通される。回転軸３１は、回転支柱４１の長さ方向の略中心に設けられている。ナット３２は、回転部４側に設置され、回転軸３１のネジ溝３１ａに螺合されている。
【００３１】
回転部４は、回転軸３１の周りに回転可能に固定部２に取り付けられる。回転部４は、回転支柱４１と、カメラ取付部４２と、バランサー４３とを備えている。
【００３２】
回転支柱４１は、鉛直方向に延びる四角柱形状に形成されている。回転支柱４１は、固定支柱１１と平行に設置されている。回転支柱４１は、回転軸３１によって回転可能に支持されている。回転支柱４１には、回転軸３１が挿通される軸穴４１ａが形成されている。軸穴４１ａは、回転支柱４１の長さ方向の略中心に形成されている。軸穴４１ａは、前後方向に延びるように形成されている。回転支柱４１には、後述するガイド軸６２が挿通されるガイド穴４１ｂが形成されている。ガイド穴４１ｂは、前後方向に延びるように形成されている。回転支柱４１の下端部には、カメラ取付部４２を回転可能に支持するための回転穴４１ｃが形成されている。回転穴４１ｃは、回転支柱４１の長さ方向に延びるように形成されている。
【００３３】
回転支柱４１の側面には、二対の監視用被ロック部４５、４６と、一対の点検用被ロック部４７とが形成されている。尚、監視用被ロック部４５が、請求項の監視用被ロック部に相当する。
【００３４】
二対の監視用被ロック部４５、４６は、図１及び図２に示す監視位置に回転部４をロックするためのものである。
【００３５】
図４に示すように、上部の監視用被ロック部４５の前面には、ナット４５ａが形成されている。監視時には、監視用被ロック部４５のナット４５ａに、上部ロック部材１４が螺合される。これにより、上部の監視用被ロック部４５は、上部ロック部材１４によって、上部ロックブランチ２３にロックされる。
【００３６】
下部の監視用被ロック部４６の前面には、ナット４６ａが形成されている。監視時には、監視用被ロック部４６のナット４６ａに、下部ロック部材１５が螺合される。これにより、下部の監視用被ロック部４６は、下部ロック部材１５によって、下部ロックブランチ２４にロックされる。
【００３７】
点検用被ロック部４７は、図６〜図９に示す点検位置に回転部４の回転支柱４１をロックするためのものである。点検用被ロック部４７の前面には、ナット４７ａが形成されている。点検時には、点検用被ロック部４７のナット４７ａに、上部ロック部材１４が螺合される。これにより、点検用被ロック部４７は、上部ロック部材１４によって、上部ロックブランチ２３にロックされる。点検用被ロック部４７は、回転軸３１を挟み監視用被ロック部４５、４６とは反対側に配置されている。回転軸３１から点検用被ロック部４７までの距離は、回転軸３１から監視用被ロック部４５までの距離と等しい。これにより、点検用被ロック部４７及び監視用被ロック部４５の両方は、上部ロックブランチ２３によってロックされる。
【００３８】
回転支柱４１の下端部には、カメラ取付部４２を固定するための下端ブランチ５０が形成されている。
【００３９】
回転支柱４１の右側面には、一対の手摺り４８、４９が形成されている。一対の手摺り４８、４９は、回転部４を回転させる際に、ユーザー９３が保持するためのものである。
【００４０】
カメラ取付部４２は、カメラ６を取り付けるためのものである。カメラ取付部４２は、取付板５１と、回転部材５２と、４個の固定部材５３とを備えている。
【００４１】
取付板５１は、カメラ６を回転支柱４１の下端部に取り付けるためのものである。取付板５１は、回転支柱４１の下端部に設けられている。図５に示すように、取付板５１の前半部には、カメラ取り付け用の４個の取付穴５１ａが形成されている。取付板５１の後部には、回転部材５２が挿通される回転穴５１ｂが形成されている。回転穴５１ｂは、左右方向の中央に形成されている。取付板５１の後半部には、回転支柱４１に回転不能に固定するための４個の固定穴５１ｃが形成されている。４個の固定穴５１ｃは、回転穴５１ｂを中心として点対称な位置に形成されている。
【００４２】
回転部材５２は、回転支柱４１の下端部に取り付けられている。回転部材５２は、回転穴５１ｂと回転支柱４１の回転穴４１ｃとに回転可能に挿通されている。これにより、回転部材５２は、回転支柱４１が延びる方向の周りに回転可能に取付板５１を支持する。
【００４３】
４個の固定部材５３は、回転支柱４１の下端ブランチ５０に取付板５１を固定するためのものである。図５に示すように、４個の固定部材５３は、回転穴５１ｂを中心として点対称な位置に形成された取付板５１の固定穴５１ｃに挿通されている。即ち、４個の固定部材５３は、回転穴５１ｂを中心として点対称な位置に配置されている。これにより、４個の固定部材５３は、監視位置から点検位置へと回転部材５２の周りに１８０°回転させる取付板５１を監視位置と点検位置との両方に固定することができる。取付板５１を回転させる際には、４個の固定部材５３は、固定穴５１ｃから抜かれる。
【００４４】
バランサー４３は、回転支柱４１を回転させる際に、ユーザー９３の負荷を低減するためのものである。バランサー４３は、回転支柱４１の上端部（他端部）に設けられている。バランサー４３の重量は、カメラ６の重量と略同じである。
【００４５】
ガイド部５は、回転支柱４１をガイドするためのものである。ガイド部５は、ガイド板６１と、ガイド軸６２とを備えている。ガイド板６１が、請求項のガイド部材に相当する。
【００４６】
ガイド板６１は、固定支柱１１の下端部に固定されている。ガイド板６１は、上下端部が後方へ折り曲げられている。ガイド板６１の前面には、回転軸３１を中心とする半円弧状のガイド溝６３が形成されている。ガイド溝６３は、ガイド軸６２をガイドするためのものである。ガイド溝６３の上端部は、回転支柱４１の監視位置に対応する。また、ガイド溝６３の下端部は、回転支柱４１の点検位置に対応する。
【００４７】
ガイド軸６２は、ガイド溝６３と、回転支柱４１のガイド穴４１ｂとに挿通される。ガイド軸６２は、回転支柱４１に固定されている。ガイド軸６２は、回転支柱４１が回転されると、ガイド溝６３に沿ってガイドされつつ、回転軸３１の周りを回転する。ここで、図２に示すように、監視位置では、ガイド軸６２は、ガイド溝６３の上端部に位置する。また、図７及び図９に示すように、点検位置では、ガイド軸６２は、ガイド溝６３の下端部に位置する。即ち、ガイド溝６３は、監視位置及び点検位置に回転支柱４１を停止するためのストッパーとしても機能する。
【００４８】
カメラ６は、歩道橋９１の近辺を監視するためのＣＣＴＶである。カメラ６は、カメラ取付部４２の取付板５１を介して、回転支柱４１の下端部（一端部）に設けられる。
【００４９】
次に、上述した第１実施形態によるカメラ取付装置１の位置切り替えについて説明する。
【００５０】
まず、図１及び図２に示す監視位置では、カメラ６が回転支柱４１の下端部に位置するように、回転部４がロック部材１４、１５及びロックブランチ２３、２４によって固定部２にロックされている。また、カメラ６が回転支柱４１よりも前方に位置するように、取付板５１が、固定部材５３によって回転支柱４１の下端部に固定されている。この状態で、カメラ６は歩道橋９１の下方の周辺部の状況を撮影して監視している。
【００５１】
次に、ユーザー９３は、回転支柱４１の監視用被ロック部４５、４６を固定支柱１１のロックブランチ２３、２４にロックしているロック部材１４、１５を取り外す。これによって、回転支柱４１は、固定支柱１１からのロックを解除され、鉛直面内で矢印Ａ方向に回転可能な状態になる。
【００５２】
次に、ユーザー９３が、手摺り４８、４９を保持して操作する。これにより、回転支柱４１が回転軸３１の周りを矢印Ａ方向へと回転する。これに伴い、ガイド軸６２は、ガイド溝６３にガイドされつつ回転軸３１の周りを回転する。
【００５３】
次に、ユーザー９３が、回転支柱４１を１８０°回転させると、ガイド軸６２がガイド溝６３の下端部まで達する。これにより、回転支柱４１の回転が、ガイド軸６２及びガイド溝６３によって、図６及び図７に示す点検位置に停止させられる。この状態で、ユーザー９３が、固定支柱１１の上部ロックブランチ２３に回転支柱４１の点検用被ロック部４７を上部ロック部材１４によってロックする。これにより、回転支柱４１が、点検位置にロックされる。
【００５４】
次に、ユーザー９３は、カメラ取付部４２の取付板５１を固定している固定部材５３を取り外す。これによって、取付板５１が水平面内で回転部材５２の周りに回転可能な状態となる。
【００５５】
次に、ユーザー９３は、カメラ６とともに取付板５１を回転部材５２の周りに回転させる。この後、図８及び図９に示すように、取付板５１を回転部材５２の周りに１８０°まで回転させて、点検位置まで到達させる。
【００５６】
次に、固定部材５３によって取付板５１を点検位置に固定する。これにより、カメラ６は、歩道橋９１の内側に固定される。この状態で、ユーザー９３は、カメラ６を点検する。
【００５７】
次に、ユーザー９３は、カメラ６の点検が終了すると、固定部材５３による取付板５１の固定を解除する。この後、図６及び図７に示す位置まで、取付板５１を回転部材５２の周りに１８０°回転させ、取付板５１を固定部材５３によって固定する。
【００５８】
次に、ユーザー９３は、上部ロック部材１４による回転支柱４１のロックを解除する。この後、回転支柱４１を回転軸３１の周りに矢印Ｂ方向へ回転させる。図１及び図２に示すように、回転支柱４１が、１８０°回転すると、ガイド軸６２がガイド溝６３の上端部で停止させられる。この状態で、ロック部材１４、１５によって、回転支柱４１の監視用被ロック部４５、４６を固定支柱１１のロックブランチ２３、２４にロックする。これにより、回転支柱４１が、監視位置に固定される。この後、カメラ６による監視が再開される。
【００５９】
上述したように、第１実施形態のカメラ取付装置１は、回転支柱４１の長さ方向の略中心に回転軸３１が設けられている。このため、点検のために、回転支柱４１を回転させる際に、ユーザー９３に作用する負荷を低減することができる。これにより、回転時における、回転支柱４１を支持するための支持部材等が不要となるので、カメラ取付装置１の構成を簡略化することができる。
【００６０】
また、カメラ取付装置１では、回転支柱４１の一端にカメラ６を取り付け、他端にバランサー４３を取り付けることによって、回転時のユーザー９３への負荷をより低減することができる。
【００６１】
また、カメラ取付装置１では、回転支柱４１の監視用被ロック部４５と回転軸３１との距離と、回転支柱４１の点検用被ロック部４７と回転軸３１との距離とを等しくしている。これにより、固定支柱１１の上部ロックブランチ２３によって、回転支柱４１を監視位置と点検位置との両方にロックすることができるので、構成を簡略化することができる。
【００６２】
また、カメラ取付装置１では、回転支柱４１に対して回転可能な取付板５１にカメラ６を取り付けている。これにより、カメラ６を歩道橋９１の外側と内側に移動させることができるので、ユーザー９３は、容易に点検できる。
【００６３】
また、カメラ取付装置１では、取付板５１を固定するための４個の固定穴５１ｃを回転部材５２の周りの点対称な位置に形成している。これにより、４個の固定穴５１ｃに固定部材５３を配置することによって、取付板５１を監視位置及び点検位置の両方に固定することができるので、構成を簡略化することができる。
【００６４】
また、カメラ取付装置１では、ガイド軸６２をガイドするガイド溝６３の両端部を監視位置及び点検位置に対応させている。これにより、回転支柱４１が、監視位置及び点検位置に達すると、ガイド溝６３によってガイド軸６２が停止される。この結果、回転支柱４１の回転が停止されるので、回転支柱４１を、監視位置及び点検位置の両方に容易に位置決めすることができる。
【００６５】
（第２実施形態）
次に、上述した実施形態の取付板を変更した第２実施形態によるカメラ取付装置について説明する。図１０は、第２実施形態による監視位置でのカメラ取付装置の側面図である。図１１は、第２実施形態による点検位置でのカメラ取付装置の側面図である。尚、上述した実施形態と同様の構成には、同じ符号を付けて説明する。
【００６６】
図１０及び図１１に示すように、第２実施形態によるカメラ取付装置１Ａのカメラ取付部４２Ａでは、取付板が第１取付板５１Ａ及び第２取付板５１Ｂに分割されている。
【００６７】
第１取付板５１Ａは、回転支柱４１の下端部に取り付けられている。第１取付板５１Ａは、回転部材５２によって、回転可能に支持されている。
【００６８】
第２取付板５１Ｂは、回転軸５５によって第１取付板５１Ａに回転可能に取り付けられている。これにより、第２取付板５１Ｂは、回転軸３１と平行な方向の周りに回転することができる。第２取付板５１Ｂには、カメラ６が取り付けられる。これにより、図１０及び図１１に示すように、カメラ６を回転支柱４１の中心側と外側とに移動させることができる。
【００６９】
上述したように第２実施形態によるカメラ取付装置１Ａでは、図１０に示す監視時において、カメラ６を回転支柱４１の中心側に設置することができる。この結果、監視時に鉛直方向の長さを小さくすることができる。一方、図１１に示す点検時には、カメラ６を回転支柱４１の外側に設置することができる。この結果、ユーザー９３が容易にカメラ６を点検できる。
【００７０】
（第３実施形態）
次に、上述した実施形態の取付板を変更した第３実施形態によるカメラ取付装置について説明する。図１２及び図１３は、第３実施形態によるカメラ取付装置の簡略正面図である。尚、上述した実施形態と同様の構成には、同じ符号を付けて説明する。
【００７１】
図１２に示すように、第３実施形態によるカメラ取付装置１Ｂでは、回転軸３１が、回転支柱４１の中心Ｃよりもカメラ６側に設置されている。また、バランサー４３は、カメラ６よりも軽い。
【００７２】
また、図１３に示すように、第３実施形態による別のカメラ取付装置１Ｂでは、回転軸３１が、回転支柱４１の中心Ｃよりもバランサー４３側に設置されている。また、バランサー４３は、カメラ６よりも重い。
【００７３】
上述したように、回転軸３１を回転支柱４１の中心Ｃとは異なる位置に設置してもよい。この場合、
Ｒ１×ＷＣ≒Ｒ２×ＷＢ
Ｒ１：回転軸の中心からカメラまでの距離
ＷＣ：カメラの重量
Ｒ２：回転軸の中心からバランサーまでの距離
ＷＢ：バランサーの重量
となるように各パラメータを設置することが好ましい。これにより、回転支柱４１を回転させる際の、ユーザー９３への負担を低減できる。
【００７４】
以上、実施形態を用いて本発明を詳細に説明したが、本発明は本明細書中に説明した実施形態に限定されるものではない。本発明の範囲は、特許請求の範囲の記載及び特許請求の範囲の記載と均等の範囲により決定されるものである。以下、上記実施形態を一部変更した変更形態について説明する。
【００７５】
例えば、各実施形態における構成の形状、数値、位置等は適宜変更可能である。
【００７６】
また、上述した実施形態は、歩道橋に柵に取り付けられるカメラ取付装置に本発明を適用した例を示したが、ビルの壁面等に取り付けられるカメラ取付装置に本発明を適用してもよい。
【００７７】
また、回転支柱を回転可能に固定支柱に支持する回転軸の位置は、回転支柱の長さ方向の中央部であればよく、適宜変更可能である。ここで、回転支柱の長さ方向の中央部とは、回転支柱の端部よりも回転支柱の中心に近い領域を示す。
【図面の簡単な説明】
【００７８】
【図１】第１実施形態によるカメラ取付装置の監視位置での側面図である。
【図２】第１実施形態によるカメラ取付装置の監視位置での正面図である。
【図３】図１におけるＩＩＩ−ＩＩＩ線に沿った断面図である。
【図４】図１におけるＩＶ−ＩＶ線に沿った断面図である。
【図５】図１における矢印Ｖから見た矢視図である。
【図６】回転支柱が点検位置に配置されたカメラ取付装置の側面図である。
【図７】回転支柱が点検位置に配置されたカメラ取付装置の正面図である。
【図８】取付板が点検位置に配置されたカメラ取付装置の側面図である。
【図９】取付板が点検位置に配置されたカメラ取付装置の正面図である。
【図１０】第２実施形態による監視位置でのカメラ取付装置の側面図である。
【図１１】第２実施形態による点検位置でのカメラ取付装置の側面図である。
【図１２】第３実施形態によるカメラ取付装置の簡略正面図である。
【図１３】第３実施形態による別のカメラ取付装置の簡略正面図である。
【符号の説明】
【００７９】
１、１Ａ、１Ｂ       カメラ取付装置
２     固定部
３     回転軸部
４     回転部
５     ガイド部
６     カメラ
１１   固定支柱
１２   上部取付部材
１３   下部取付部材
１４   上部ロック部材
１５   下部ロック部材
１６   回転軸穴
２１   上部柵用ブランチ
２２   下部柵用ブランチ
２３   上部ロックブランチ
２４   下部ロックブランチ
２５、２７    Ｕ字ボルト
２６、２８    ナット
３１   回転軸
３１ａ ネジ溝
３２   ナット
４１   回転支柱
４１ａ 軸穴
４１ｂ ガイド穴
４１ｃ 回転穴
４２   カメラ取付部
４３   バランサー
４５ａ ナット
４５、４６    監視用被ロック部
４６ａ、４７ａ             ナット
４７   点検用被ロック部
４８、４９    手摺り
５０   下端ブランチ
５１、５１Ａ、５１Ｂ       取付板
５１ａ 取付穴
５１ｂ 回転穴
５１ｃ 固定穴
５２   回転部材
５３   固定部材
５５   回転軸
６１   ガイド板
６２   ガイド軸
６３   ガイド溝
９１   歩道橋
９２   柵
９３   ユーザー
【図１】
2010068096.tif 000003
【図２】
2010068096.tif 000004
【図３】
2010068096.tif 000005
【図４】
2010068096.tif 000006
【図５】
2010068096.tif 000007
【図６】
2010068096.tif 000008
【図７】
2010068096.tif 000009
【図８】
2010068096.tif 000010
【図９】
2010068096.tif 000011
【図１０】
2010068096.tif 000012
【図１１】
2010068096.tif 000013
【図１２】
2010068096.tif 000014
【図１３】
2010068096.tif 000015